(57)【特許請求の範囲】
【請求項１】
外部記憶装置と電気的に接続可能な複数の接続端子と、前記複数の接続端子各々と対応して設けられた複数の削除操作部と、前記削除操作部に対する操作の検知を契機として、前記削除操作部に対応する前記接続端子に電気的に接続された外部記憶装置に記憶されたデータを一括で削除するデータ削除手段と、前記複数の接続端子各々に対応して設けられ電力の供給により常に発光する複数のランプと、前記接続端子に電気的に接続された外部記憶装置に記憶されたデータの量に応じた表示を前記複数のランプを用いて行うデータ量表示手段と、を備えたデータ削除装置において行うデータ量確認一括削除方法であって、
前記接続端子に外部記憶装置を電気的に接続するステップと、
電力の供給により、前記データ量表示手段が、前記外部記憶装置に記憶されているデータの量に応じた表示を前記複数のランプを用いて常に行うデータ量表示ステップと、
前記データの量に応じた表示が常に行われている状態で、前記データ削除手段が、前記接続端子に対応する前記削除操作部に対する操作の検知を契機として、前記削除操作部に対応する前記接続端子に電気的に接続された前記外部記憶装置に記憶されたデータを一括で削除するステップと
を備えたことを特徴とするデータ量確認一括削除方法。
【請求項２】
外部記憶装置と電気的に接続可能な複数の接続端子と、
前記複数の接続端子各々と対応して設けられた複数の削除操作部と、
前記複数の接続端子各々に対応して設けられ電力の供給により常に発光する複数のランプと、
前記接続端子に電気的に接続された外部記憶装置に記憶されたデータの量に応じた表示を前記複数のランプを用いて行うデータ量表示手段と、
電力が供給され前記複数のランプが常に発光している状態で、前記削除操作部に対する操作の検知を契機として、前記削除操作部に対応する前記接続端子に電気的に接続された外部記憶装置に記憶されたデータを一括で削除するデータ削除手段と、
を備えたことを特徴とするデータ削除装置。
【発明の詳細な説明】
【技術分野】
【０００１】
本発明は、外部記憶装置及び外部記憶装置に記憶されたデータを削除するデータ削除装置及びデータ量確認一括削除方法に関する。
【背景技術】
【０００２】
近年、パーソナルコンピュータ（Personal Computer、以下「ＰＣ」ともいう。）等の情報処理装置同士でのデータの受け渡しや、データ保管のためにＵＳＢメモリが普及している。ＵＳＢメモリは、ＰＣにドライバ等をインストールしなくても、ＰＣのＵＳＢポートにＵＳＢメモリのコネクタを接続することで、即座に当該ＵＳＢメモリへのデータの読み書きが可能となる。
【０００３】
このように、ＵＳＢメモリはデータの保管や受け渡しに便利であるため、個人のみならず、企業や官公庁等の団体においても利用されている。そして、ＵＳＢメモリに保管しておいたデータが不要となった場合には、当該ＵＳＢメモリ内のデータを全て削除すれば、情報漏えいや不正を防止しつつ、ＵＳＢメモリを繰り返し別の用途に利用することができる。
【０００４】
しかしながら、ＵＳＢメモリに記憶されたデータを完全に削除するには、当該ＵＳＢメモリをＰＣに接続して、ＰＣのディスプレイにメモリ内のデータのファイル名を表示させ、表示されたファイル名を逐次選択して削除するという手間のかかる操作を行う必要があった。
また、データを削除すべきＵＳＢメモリが複数存在する場合に、複数のＵＳＢメモリを１つずつＰＣのＵＳＢポートに差し込んでデータを消去しなければならず、手間がかかっていた。
【０００５】
特許文献１には、ＵＳＢメモリに電源用の電池及び表示装置を設けることで、ＵＳＢメモリをＰＣに装着することなく、ウイルス検出を行い、ＵＳＢメモリに記録されているデータファイルの一覧やウイルスに感染したファイル名を表示装置に表示し、ユーザによるファイルの選択操作及び削除スイッチボタンの操作により、選択されたファイルやフォルダを削除することが記載されている。
【０００６】
また、特許文献２には、ＵＳＢメモリをＰＣに装着し、ＰＣを再起動してＵＳＢメモリ内に記憶された消去プログラムを実行してＰＣ内のデータの完全消去を行い、完全消去を行った日時を示す消去日時情報をＵＳＢメモリに記憶することで、管理者がＵＳＢメモリに記憶された消去日時情報からデータ消去がなされたことを把握することが記載されている。
【先行技術文献】
【特許文献】
【０００７】
【特許文献１】特開２０１０−２１８０８２号公報
【特許文献２】特開２００６−３３０８８６号公報
【発明の概要】
【発明が解決しようとする課題】
【０００８】
特許文献１に記載の技術を用いた場合、ＵＳＢメモリの表示装置にメモリに記憶されているファイルやフォルダを表示して、ＵＳＢメモリにデータが記憶されているか否かを確認する必要があり、手間と時間がかかる。また、ＵＳＢ内のデータを完全に削除する場合に、表示装置に表示されたファイルやフォルダを１つずつ選択して削除する操作を行う必要があり、手間と時間がかかる。
また、特許文献２に記載の技術を用いた場合、ＵＳＢメモリをＰＣに接続したり、ＰＣを再起動してＰＣ内のデータ消去を行う必要があり、手間と時間がかかる。
【０００９】
本発明は、上述した問題点を解決するためになされたものであり、手間と時間をかけずに、ＵＳＢメモリ等の外部記憶装置に記憶されたデータを一括で削除することが可能なデータ削除装置及びデータ量確認一括削除方法を提供することを目的とする。
【００１０】
また、本発明は、手間と時間をかけずに、外部記憶装置にデータが記憶されているか否かを確認することが可能なデータ削除装置及びデータ量確認一括削除方法を提供することを目的とする。
また、本発明は、外部記憶装置をパーソナルコンピュータ等の情報処理装置に接続することなく、手間と時間をかけずに、外部記憶装置に記憶されているデータ量を把握することが可能なデータ削除装置及びデータ量確認一括削除方法を提供することを目的とする。
【００１１】
また、本発明は、記憶されているデータを削除すべき外部記憶装置が複数存在する場合に、当該複数の外部記憶装置に記憶されているデータを効率よく削除することが可能なデータ削除装置及びデータ量確認一括削除方法を提供することを目的とする。
【課題を解決するための手段】
【００１２】
上記目的を達成するために、本発明に係る外部記憶装置は、情報処理装置と電気的に接続可能な外部記憶装置であって、データを記憶する記憶手段と、前記記憶手段に記憶されているデータを一括で削除するデータ削除手段と、前記記憶手段に記憶されているデータの量に応じた表示を行うデータ量表示手段とを備えたことを特徴とする。
本発明によれば、手間と時間をかけずに、外部記憶装置に記憶されたデータを一括で削除したり、データ量表示手段による表示により外部記憶装置に記憶されたデータ量を確認したりすることができる。
【００１３】
上記発明において、データ削除の指示を行うための削除操作部をさらに備え、前記データ削除手段は、前記削除操作部の操作が行われたことを契機として、前記記憶手段に記憶されているデータを削除することを特徴とする。
本発明によれば、ユーザは削除操作部を操作することで、手間と時間をかけずに、容易にデータを一括で削除することができる。
【００１４】
上記発明において、前記データ量表示手段は、前記記憶手段に記憶されているデータ量に応じて表示態様を変化させることにより、前記記憶手段に記憶されているデータ量を示すことを特徴とする。
本発明によれば、ユーザは、データ量表示手段により変化する表示態様によって、手間と時間をかけずに、外部記憶装置に記憶されたデータ量を容易に把握することができる。
【００１５】
上記発明において、複数のランプをさらに備え、前記データ量表示手段は、前記記憶手段に記憶されているデータ量に応じて複数のランプの発光態様を変化させることを特徴とする。
本発明によれば、ユーザは、ランプの発光態様の変化によって、手間と時間をかけずに、外部記憶装置に記憶されたデータ量を容易に把握することができる。
【００１６】
上記発明において、前記各手段に電力を供給する電力供給手段をさらに備えたことを特徴とする。
本発明によれば、外部記憶装置をパーソナルコンピュータ等の情報処理装置に接続することなく、手間と時間をかけずに、外部記憶装置に記憶されたデータを一括で削除したり、データ量表示手段による表示により外部記憶装置に記憶されたデータ量を確認したりすることが可能となる。
【００１７】
また、本発明に係るデータ削除装置は、外部記憶装置に記憶されたデータを削除するデータ削除装置であって、前記外部記憶装置と電気的に接続可能な複数の接続端子と、前記複数の接続端子各々と対応して設けられた複数の削除操作部と、前記削除操作部に対する操作の検知を契機として、前記削除操作部に対応する前記接続端子に接続された外部記憶装置に記憶されたデータを一括で削除するデータ削除手段とを備えたことを特徴とする。
本発明によれば、データ削除装置が備える複数の各接続端子に複数の各外部記憶装置を電気的に接続して、各接続端子に対応して設けられた各削除操作部を操作することで、各外部記憶装置に記憶されたデータを効率的に削除することができる。
【００１８】
上記発明において、前記複数の接続端子各々に対応して設けられ、前記接続端子に電気的に接続された前記外部記憶装置に記憶されたデータ量に応じた表示を行うデータ量表示手段をさらに備えたことを特徴とする。
本発明によれば、ユーザは、データ量表示手段による表示によって、手間と時間をかけずに、外部記憶装置に記憶されたデータ量を容易に把握することができる。
【００１９】
上記発明において、前記複数の接続端子は、並列に配列されていることを特徴とする。
本発明によれば、複数の接続端子は並列に配列されているため、当該複数の接続端子各々に外部記憶装置各々を容易に接続して、削除処理を行うことができる。
【発明の効果】
【００２０】
本発明によれば、外部記憶装置をパーソナルコンピュータ等の情報処理装置に接続することなく、手間と時間をかけずに、外部記憶装置に記憶されたデータを一括で削除したり、データ量表示手段による表示により外部記憶装置に記憶されたデータ量を確認したりすることができる。
【図面の簡単な説明】
【００２１】
【図１】本発明の第１実施形態に係るＵＳＢメモリの外観を示す平面図である。
【図２】同実施形態に係るＵＳＢメモリのハードウェアの構成を示すブロック図である。
【図３】同実施形態に係るＵＳＢメモリの機能構成を示すブロック図である。
【図４】同実施形態に係るＵＳＢメモリの動作手順を示すフローチャートである。
【図５】本発明の第２実施形態に係るデータ削除装置の外観を示す斜視図である。
【図６】同実施形態に係るデータ削除装置の機能構成を示すブロック図である。
【発明を実施するための形態】
【００２２】
以下、本発明の外部記憶装置をＵＳＢメモリに適用した場合の実施形態を、図面を参照して詳細に説明する。
（第１実施形態）
図１は、本発明の第１実施形態に係るＵＳＢメモリ１の外観を示す平面図である。ＵＳＢメモリ１は、直方体状の筐体１２を有している。筐体１２の側面には、ＵＳＢ規格に基づくコネクタ（接続端子）１４が、筐体１２から外側に突出した状態で設けられている。このコネクタ１４は、ＰＣ等の機器が備えるＵＳＢポート（不図示）に差し込むことができる。なお、ＵＳＢメモリ１の筐体１２の形状は直方体に限定されることはなく、楕円形状、球形状等、任意の形状とすることができる。
【００２３】
筐体１２の別の側面には、削除操作部１６が設けられている。削除操作部１６は、例えばプッシュ式のボタンスイッチであり、当該削除操作部１６が押下されると、ＵＳＢメモリ１が備える後述するＣＰＵがその旨を検知し、ＵＳＢメモリ１に記憶されたデータは一括で全て削除される。なお、削除操作部１６は、プッシュ式に限らず、回転スイッチやその他のスイッチであってもよい。
【００２４】
筐体１２のさらに別の側面には、電源スイッチボタン１８が設けられている。電源スイッチボタン１８は、ＵＳＢメモリ１が備える後述する電源からの電力の供給をオン・オフするためのボタンである。電源からの電力の供給がオフとなっている状態で電源スイッチボタン１８が押下されると、電源から電力がＵＳＢメモリ１へ供給される。これにより、ＵＳＢメモリ１をＰＣに接続してＰＣからの電力の供給を受けなくても、ＵＳＢメモリ１は動作可能となる。また、電源からの電力の供給がオンとなっている状態で電源スイッチボタン１８が押下されると、電源からの電力の供給がオフとなる。
【００２５】
筐体１２の一方の主面には、長手方向に沿って５つのランプ２０が配置されている。ランプ２０は、例えば、ＬＥＤ（Light Emitting Diode）ランプであってもよいし、白熱電球であっても、ハロゲンランプであっても、蛍光ランプであっても、放電ランプであってもよい。
【００２６】
ランプ２０は、後で詳述するが、ＵＳＢメモリ１に記録されたデータ量に応じて表示態様が変化する。したがって、ユーザは、表示態様から、メモリにデータが記憶されているか否か、記憶されている場合にはどの程度データが記憶されているのかを認識することができる。
【００２７】
図２は、ＵＳＢメモリ１のハードウェアの構成を示すブロック図である。同図に示すように、ＵＳＢメモリ１は、ハードウェアとして、コントローラＬＳＩ（Large Scale Integrated Circuit）２２と、フラッシュメモリ２４と、を備えている。
【００２８】
コントローラＬＳＩ２２は、ＵＳＢインターフェース（Ｉ／Ｆ）２６と、ランプコントローラ２８と、ＣＰＵ（Central Processing Unit）３０と、ＲＡＭ（Random Access Memory）３２と、ＲＯＭ（Read Only Memory）３４と、フラッシュメモリインターフェース（Ｉ／Ｆ）３６と、電源３８を備えており、これらはバス４０で接続されている。
【００２９】
ＵＳＢインターフェース２６は、ＵＳＢメモリ１のコネクタ１４にＰＣのポートが接続された場合に、ＰＣとＵＳＢ規格に従った通信を行う。ＵＳＢインターフェース２６は、ＰＣから送信されてきたデータをバス４０に出力し、バス４０に出力されたデータは、フラッシュメモリインターフェース３６を介してフラッシュメモリ２４に転送され、フラッシュメモリ２４に記憶される。また、ＵＳＢインターフェース２６は、フラッシュメモリ２４から読み出されたデータを、フラッシュメモリインターフェース３６、バス４０を介して、ＰＣに転送する。
【００３０】
ランプコントローラ２８は、ＣＰＵからの指令を受けて、ランプ２０の発光を制御する。
ＣＰＵ３０は、ＲＯＭ３４に記憶されている各種プログラムをＲＡＭ３２に展開して実行することにより、後述する各機能を実現し、バス４０を介して接続される各ユニットを制御する。
【００３１】
ＲＯＭ３４には、フラッシュメモリ２４に記憶されたデータ削除用のプログラム、ランプコントローラ制御用のプログラム等の各種プログラムが予め記憶されている。
ＲＡＭ３２は、データを一時記憶するためのメモリである。
【００３２】
フラッシュメモリインターフェース３６は、フラッシュメモリ２４に対するデータの読み書きを制御する。
フラッシュメモリ２４は、電源がオフされてもデータが消えない不揮発性メモリであり、各種データを記憶したり、記憶されているデータを削除したりすることができる。
電源３８は、充電可能な電池であり、バス４０で接続された各ユニットに電力を供給する。
【００３３】
次に、図３を参照して、ＵＳＢメモリ１の機能構成について説明する。図３はＵＳＢメモリ１の機能構成を示すブロック図である。同図に示すように、ＵＳＢメモリ１は、記憶手段１０１と、データ削除手段１０２と、データ量表示手段１０３と、電力供給手段１０４と、を備えている。
記憶手段１０１は、図２に示すフラッシュメモリ２４で構成され、データを記憶する。
【００３４】
データ削除手段１０２は、ＣＰＵ３０がＲＯＭ３４に記憶されたデータ削除用のプログラムに従って処理を実行することにより実現される機能であり、削除操作部１６が操作されたことを検知すると、これを契機として、記憶手段１０１に記憶されているデータを一括で削除する。
【００３５】
データ量表示手段１０３は、ランプ２０と、ランプ２０の表示態様を制御するランプコントローラ２８と、ＣＰＵ３０がＲＯＭ３４に記憶されたランプコントローラ制御用のプログラムに従って処理を実行することにより実現される機能と、を含んで構成され、記憶手段１０１に記憶されているデータの量に応じて、ランプの表示態様を変化させる。
【００３６】
例えば、記憶手段１０１にデータが全く記録されていない場合には、データ量表示手段１０３は、ＵＳＢメモリ１の筐体１２の主面に設けられた５つのランプ２０を全て緑色に発光させる。記憶手段１０１に記憶されているデータ量の全記憶容量に対する割合が０％を超え２０％未満の場合には、データ量表示手段１０３は、５つのランプ２０のうち左端の１つのランプ２０ａのみ赤色に発光させ、それ以外のランプ２０ｂ，２０ｃ，２０ｄ，２０ｅを緑色に発光させる。記憶手段１０１に記憶されているデータ量の全記憶容量に対する割合が２０％以上４０％未満の場合には、データ量表示手段１０３は、左端から１つ目及び２つ目に配置された２つのランプ２０ａ，２０ｂを赤色に発光させ、それ以外の３つのランプ２０ｃ，２０ｄ，２０ｅを緑色に発光させる。記憶手段１０１に記憶されているデータ量の全記憶容量に対する割合が４０％以上６０％未満の場合には、データ量表示手段１０３は、左端から１〜３つ目に配置された３つのランプ２０ａ，２０ｂ，２０ｃを赤色に発光させ、それ以外の２つのランプ２０ｄ，２０ｅを緑色に発光させる。記憶手段１０１に記憶されているデータ量の全記憶容量に対する割合が６０％以上８０％未満の場合には、データ量表示手段１０３は、左端から１〜４つ目に配置された４つのランプ２０ａ，２０ｂ，２０ｃ，２０ｄを赤色に発光させ、それ以外の１つのランプ２０ｅを緑色に発光させる。記憶手段１０１に記憶されているデータ量の全記憶容量に対する割合が８０％以上の場合には、データ量表示手段１０３は、全てのランプ２０を赤色に発光させる。
【００３７】
ランプ２０の発光色を変化させる方法としては、各ランプ２０に励起波長によって発光色が変化する蛍光体を塗布し、ランプ２０には放電状態によって放射する紫外線の分光分布が変化するガスを封入する。ランプ２０に与える電圧のパルス幅の時間と繰り返し周期とを調整することにより励起波長を変えて、発光色を変化させることができる。
【００３８】
或いは、発光色の異なるカラーフィルタを配置した円板を回転させて、照明ランプからの照射光が通過するカラーフィルタの色を変えることによって、発光色を変化させてもよい。
また、表示態様としては、色彩を変化させるのみならず、記憶されているデータ量に応じて、点灯するランプ２０の数を変化させたり、ランプ２０を点滅させたりしてもよい。
【００３９】
電力供給手段１０４は図２に示す電源３８を含んで構成され、ＵＳＢメモリ１に電力を供給する。ＵＳＢメモリ１内に電力供給手段１０４を設けることにより、ＰＣからの電力の供給を受けるためにＵＳＢメモリ１をＰＣに接続しなくても、ＵＳＢメモリ１を動作させることができる。
【００４０】
上記のような構成のＵＳＢメモリ１において、電源３８から電力がオフされている状態でユーザがＵＳＢメモリ１の電源スイッチボタン１８を押下すると、電力供給手段１０４は電力をＵＳＢメモリ１に供給する（図４のステップＳ１０１）。
データ量表示手段１０３は、記憶手段１０１に記憶されているデータ量を取得し、当該データ量に応じて５つのランプ２０の発光色を変化させる（図４のステップＳ１０２）。
【００４１】
５つのランプ２０の色が全て緑色に発光した場合には、記憶手段１０１にデータが記憶されていないことを意味するため、ユーザはＵＳＢメモリ１にデータが記憶されていないことを確認することができる。一方、１つでも赤色に発光したランプ２０が存在する場合には、記憶手段１０１にデータが記憶されていることを意味するため、ユーザは削除操作部１６を操作する（図４のステップ１０３のＹｅｓ）。これにより、データ削除手段１０２は、記憶手段１０１に記憶されたデータを一括で削除する（図４のステップＳ１０４）。データ量表示手段１０３は、記憶手段１０１にデータが全く記憶されていない旨の情報を取得して、ランプ２０を全て緑色に発光させる（図４のステップＳ１０５）。これにより、ユーザはＵＳＢメモリ１にデータが記憶されていないことを確認することができる。
【００４２】
このように、ＵＳＢメモリ１をＰＣに接続することなく、ランプ２０の表示態様によりＵＳＢメモリに記憶されているデータ量を容易に確認することができるとともに、削除操作部１６を押下することでＵＳＢメモリ１に記憶されたデータを一括で削除することができ、手間と時間をかけずにデータ削除とデータ量確認を行うことができる。
【００４３】
なお、電力供給手段１０４は、充電電池に限らず、乾電池であってもよいし、或いは、ＲＦＩＤ（Radio Frequency Identification）技術を利用したタグであってもよい。この場合、電力供給手段１０４は、リーダからの電波を電力に変換する機能を有することとなる。
【００４４】
また、電力供給手段１０４をＵＳＢメモリ１に設けずに、ＵＳＢメモリ１をＰＣ等の情報処理装置に接続することで、当該情報処理装置からＵＳＢメモリ１に電力を供給するようにしてもよい。この場合には、ＵＳＢメモリ１には電源スイッチボタン１８は必要ない。
また、ランプ２０の代わりにディスプレイを設け、記憶されているデータ量、全記憶容量に対するデータ量の割合等を、ディスプレイに表示してもよい。
【００４５】
（第２実施形態）
次に、第２実施形態について説明する。本実施形態では、上述した第１実施形態に係る複数のＵＳＢメモリ１、又は一般的な複数のＵＳＢメモリに記憶されたデータを削除するためのデータ削除装置について説明する。
【００４６】
図５は、データ削除装置５０の外観を示す斜視図である。データ削除装置５０は直方体形状を有しており、データ削除装置５０の前面には、ＵＳＢメモリのコネクタを接続可能な複数の接続端子５２が並列に配列されている。並列に配置することで、データを削除すべき複数のＵＳＢメモリが存在する場合に、当該複数のＵＳＢメモリ各々を複数の接続端子５２各々に容易に接続することができる。なお、同図では、５つの接続端子５２が並列に配列されているが、並列に配列する接続端子５２の数はこれに限定されることはなく、例えば、３個でも１０個でもよい。また、同図では接続端子５２を１列に配置しているが、２列や３列に配置してもよい。
【００４７】
各接続端子５２の近傍には、削除操作部５６とランプ６０が接続端子５２と対応付けられて配置されている。各ランプ６０は、５つのランプ６０ａ，６０ｂ，６０ｃ，６０ｄ，６０ｅから構成されている。第２実施形態に係る削除操作部５６とランプ６０は、第１実施形態に係る削除操作部１６とランプ２０と同様の構成であり、５つのランプ６０ａ，６０ｂ，６０ｃ，６０ｄ，６０ｅは第１実施形態に係るランプ２０ａ，２０ｂ，２０ｃ，２０ｄ，２０ｅに対応している。
【００４８】
データ削除装置５０は、ハードウェア構成として、図示せぬ、ＣＰＵと、ＲＯＭと、ＲＡＭと、ランプコントローラと、電源とを備えている。
ＲＯＭには、装着されたＵＳＢメモリに記憶されたデータを削除するためのプログラムや、ＵＳＢメモリに記憶されたデータの量に応じてランプ６０の表示態様を制御するためのプログラムが予め記憶されている。
【００４９】
ＣＰＵがＲＯＭに記憶されたプログラムに従って処理を実行することにより、図６に示すデータ削除手段５０２とデータ量表示手段５０３とがデータ削除装置５０に実現される。
データ削除手段５０２は、削除操作部５６に対する操作の検知を契機として、当該操作された削除操作部５６に対応する接続端子５２に接続されたＵＳＢメモリに記憶されたデータを一括で削除する。
【００５０】
データ量表示手段５０３は、複数の接続端子５２各々に対応して設けられ、接続端子５２に接続されたＵＳＢメモリに記憶されたデータ量に応じてランプ６０の表示態様を変化させる。ランプ６０の表示態様の変化のさせ方は、第１実施形態で説明したランプ２０の表示態様と同様である。
【００５１】
このようなデータ削除装置５０を用いることにより、データ削除装置５０が備える複数の各接続端子５２に複数のＵＳＢメモリのコネクタ各々を接続して、各接続端子５２に対応する、近傍に配置された各削除操作部５６を操作することで、各ＵＳＢメモリに記憶されたデータを効率的に削除することができる。
【００５２】
そして、各接続端子５２に対応する、近傍に配置されたランプ６０の表示態様により、各接続端子５２に接続された各ＵＳＢメモリにデータが記憶されているか否か、データが全て削除されたか否か等をユーザは容易に把握することができる。
【００５３】
なお、上述した実施形態では、外部記憶装置がＵＳＢメモリであり、通信インターフェースがＵＳＢインターフェースであるとして説明したが、外部記憶装置としてＵＳＢメモリ以外の記憶装置を用いてもよく、その場合には通信インターフェースは、ＩＥＥＥ１３０４、シリアルインターフェース、赤外線等を用いてもよい。
【符号の説明】
【００５４】
１………ＵＳＢメモリ、１２………筐体、１４………コネクタ、１６………削除操作部、１８………電源スイッチボタン、２０………ランプ、２２………コントローラＬＳＩ、２４………フラッシュメモリ、２６………ＵＳＢインターフェース、２８………ランプコントローラ、３０………ＣＰＵ、３２………ＲＡＭ、３４………ＲＯＭ、３６………フラッシュメモリインターフェース、３８………電源、４０………バス、１０１………記憶手段、１０２………データ削除手段、１０３………データ量表示手段、１０４………電力供給手段、５０………データ削除装置、５２………接続端子、５６………削除操作部、６０………ランプ。
【図１】
0005850564.tif 000002
【図２】
0005850564.tif 000003
【図３】
0005850564.tif 000004
【図４】
0005850564.tif 000005
【図５】
0005850564.tif 000006
【図６】
0005850564.tif 000007